(57)【要約】【課題】一側が仰角の傾斜地１となった領域に発泡体ブロック３を積み重ねて構築した軽量盛土において、軽量盛土部分の安定性を高めることができるようにする。【解決手段】傾斜地１側の端部に位置する発泡体ブロック３ａを、その他の発泡体ブロック３ｂより硬質とする。【選択図】図１
2006328953.tif 000002
【特許請求の範囲】
【請求項１】
一側が仰角の傾斜地となった領域に発泡体ブロックを積み重ねて構築した軽量盛土において、傾斜地側の端部に位置する発泡体ブロックが、その他の発泡体ブロックより硬質であることを特徴とする軽量盛土。
【請求項２】
傾斜地側の端部に位置する発泡体ブロックが、傾斜地の傾斜方向に傾斜した下向き傾斜面を有し、この下向き傾斜面を傾斜地側に向けて積み重ねられていることを特徴とする請求項１に記載の軽量盛土。
【請求項３】
傾斜地側の端部に位置する発泡体ブロックが、傾斜地の傾斜方向に階段状に傾斜した下向き階段面を有し、この下向き階段面を傾斜地側に向けて積み重ねられていることを特徴とする請求項１に記載の軽量盛土。
【請求項４】
傾斜地側の端部に位置する発泡体ブロックが、積み重ねられた複数枚の発泡板で構成されており、しかも該発泡体ブロックの前記下向き階段面が、該複数枚の発泡板の傾斜地側の端部の位置をずらせることで形成されていることを特徴とする請求項３に記載の軽量盛土。
【請求項５】
傾斜地側の端部に位置する発泡体ブロックにおいて、底面幅の大きなものと小さなものが上下方向に混在していることを特徴とする請求項２〜４のいずれか１項に記載の軽量盛土。
【発明の詳細な説明】
【技術分野】
【０００１】
本発明は、一側が仰角の傾斜地となった領域に発泡体ブロックを積み重ねて構築した軽量盛土に関するもので、例えば山腹道路の拡幅などに用いられる軽量盛土に関する。
【背景技術】
【０００２】
従来、一側が仰角の傾斜地となった領域に直方体の発泡体ブロックを積み重ねて構築した軽量盛土において、傾斜地側の端部に位置する発泡体ブロックと傾斜地との間に生じる三角柱状の空間に、この空間と同様の三角柱状発泡体ブロックを挿入することで、前記空間に砕石などの裏込め材を充填した場合に加わる側圧を軽減できるようにすることが知られている（例えば、特許文献１参照）。
【０００３】
【特許文献１】特開平１１−１７２６８０号公報
【発明の開示】
【発明が解決しようとする課題】
【０００４】
ところで、前記三角柱状発泡体ブロックは、少なくとも傾斜地側の端部に直方体の発泡体ブロックを敷設した後、当該発泡体ブロックと前記傾斜地との間に形成された三角柱状の空間に、一つの頂角を下方に向けた不安定な状態で挿入されることになる。
【０００５】
しかしながら、例えば山肌を削り取って形成される傾斜地は、均一な角度で形成できるものではなく、また表面に凹凸が残ることが避けられないので、前記空間に三角柱状発泡体ブロックの形状と大きさを正確に合わせておくことは不可能である。従って、傾斜地側の端部に敷設する直方体の発泡体ブロックを、傾斜地の状態に合わせて、三角柱状発泡体ブロックの挿入を考慮した位置に敷設して行かなければならず、施工に手間が掛かる問題がある。
【０００６】
また、三角柱状発泡体ブロックは、上記のように、不安定な状態で前記空間に挿入されるので、作業時の振動や、敷き並べられた発泡体ブロックのわずかなずれなどによって、傾いたりずれたりしやすい。特に三角柱状発泡体ブロックの納まりが悪く、部分的に上方に飛び出してしまった場合には、その上に重ねられる発泡体ブロックが傾いてしまい、安定した発泡体ブロックの積み重ねが阻害されることにもなる。
【０００７】
更には、三角柱状発泡体ブロックは、前記空間に挿入されているだけで上下に積み重ねられるものではなく、軽量盛土の主要部分を構成している直方体の発泡体ブロックと一体化されるものではないので、傾斜地と軽量盛土部分間の摩擦抵抗を増大させて、軽量盛土部分の安定性を高める効果はさほど期待することができないものでしかない。
【０００８】
本発明は、上記従来の問題点に鑑みてなされたもので、一側が仰角の傾斜地となった領域に発泡体ブロックを積み重ねて構築した軽量盛土において、施工性や安定した発泡体ブロックの積み重ねを阻害することなく、発泡体ブロックと傾斜地間に生じる空間容積を少なくし、該空間に砕石などの裏込め材を充填した場合に加わる側圧を軽減できるようにすると同時に、傾斜地と軽量盛土部分間の摩擦抵抗を増大させて、軽量盛土部分の安定性を高めることができるようにすることを目的とする。
【課題を解決するための手段】
【０００９】
本発明は、一側が仰角の傾斜地となった領域に発泡体ブロックを積み重ねて構築した軽量盛土において、傾斜地側の端部に位置する発泡体ブロックが、その他の発泡体ブロックより硬質であることを特徴とする軽量盛土を提供するものである。
【００１０】
上記本発明は、傾斜地側の端部に位置する発泡体ブロックが、傾斜地の傾斜方向に傾斜した下向き傾斜面を有し、この下向き傾斜面を傾斜地側に向けて積み重ねられていること、
傾斜地側の端部に位置する発泡体ブロックが、傾斜地の傾斜方向に階段状に傾斜した下向き階段面を有し、この下向き階段面を傾斜地側に向けて積み重ねられていること、
傾斜地側の端部に位置する発泡体ブロックが、積み重ねられた複数枚の発泡板で構成されており、しかも該発泡体ブロックの前記下向き階段面が、該複数枚の発泡板の傾斜地側の端部の位置をずらせることで形成されていること、
をその好ましい態様として含むものである。
【発明の効果】
【００１１】
本発明によれば、以下の効果が得られるものである。
【００１２】
（１）傾斜地との摩擦を直接受ける発泡体ブロックへたりを防止し、軽量盛土全体の安定性を長期に亘って維持しやすくなる。
【００１３】
（２）請求項２又は３の発明において、傾斜地側の端部に位置する発泡体ブロックは、傾斜地の傾斜方向に傾斜した下向き傾斜面又は下向き階段面を傾斜地側に向けて積み重ねられているので、これによって当該発泡体ブロックと傾斜地間の空間を小さくすることができるので、この空間への砕石や現地発生土などの裏込め材の充填を省略又は少量に抑制することができ、裏込め材による軽量盛土部分への側圧を大幅に軽減することができる。
【００１４】
（３）請求項２又は３の発明において、傾斜地側の端部に位置する発泡体ブロックは、その他の領域に敷設される発泡体ブロックと同様に積み重ねられるもので、下向き傾斜面又は下向き階段面を傾斜地に当接又は近接させながら敷設するだけで、当該発泡体ブロックと傾斜地間の空間を小さくすることができ、施工性に優れ、施工期間の短縮を図ることができる。
【００１５】
（４）上記のように、傾斜地側の端部に位置する発泡体ブロックは、その他の領域に敷設される発泡体ブロックと同様に積み重ねられるもので、レベル施工が容易であるので、安定した発泡体ブロックの積み重ね状態が得やすい。
【００１６】
（５）請求項２又は３の発明において、傾斜地側の端部に位置する発泡体ブロックは、上下に積み重ねられることで、その他の領域の発泡体ブロックと共に軽量盛土を構成するもので、互いに圧接されて一体化されるので、傾斜地側の端部に位置する発泡体ブロックの下向き傾斜面又は下向き階段面による傾斜地との摩擦抵抗により、軽量盛土部分全体の安定性を高めることができる。
【発明を実施するための最良の形態】
【００１７】
以下、図面に基づいて本発明を更に説明する。
【００１８】
図１は、本発明に係る軽量盛土の第１の例を示す断面図、図２は第１の例における傾斜地側の端部に位置する発泡体ブロックの斜視図である。
【００１９】
図１に示されるように、一側が仰角の傾斜地１となった領域に形成した平坦な地盤面上に下部コンクリート床版２が形成されており、その上に発泡体ブロック３が積み重ねられている。重ねられた発泡体ブロック３の中間部には、高さ方向に適宜の間隔をもって中間コンクリート床版４が挟み込まれている。また、発泡体ブロック３の最上部には、上部コンクリート床版５が設けられている。
【００２０】
下部コンクリート床版２は、発泡体ブロック３を積み上げる地盤の補強及び表面均しのために設けられるもので、発泡体ブロック３の積み上げ位置の地盤表面に必要に応じて配筋を施し、コンクリートを打設することで形成することができる。この下部コンクリート床版２は、地盤が強固な場合や、発泡体ブロック３の積み上げ高さが低い場合には、砂や土砂などで地盤の表面均しを行うだけとして省略することができる。
【００２１】
中間コンクリート床版４は、発泡体ブロック３の積み上げ状態の安定化及び荷重の分散による補強のために設けられるもので、所定の途中高さまで積み上げた発泡体ブロック３上に配筋を施してコンクリートを打設することで形成することができる。中間コンクリート床版４は、必要に応じて介在されるもので、発泡体ブロック３の積み上げ高さがさほど高くない場合には省略することができる。
【００２２】
整地した地盤又は上記下部コンクリート床版２上に、必要に応じて中間コンクリート床版４を挟み込んで積み重ねられる発泡体ブロック３は、合成樹脂発泡体で構成されている。この合成樹脂発泡体としては、強度及び耐水性に優れたものが好ましく、例えばポリスチレン発泡体、ポリエチレン発泡体、ポリウレタン発泡体などを用いることができるが、特にポリスチレン発泡体が好ましい。また、押出成形によるものでもビーズ発泡成形によるものでもよいが、強度的には押出発泡成形したものが好ましい。
【００２３】
上記発泡体ブロック３は、厚板状の成形品であるが、傾斜地１側の端部に位置する発泡体ブロック３ａは、直方体の一側面を傾斜地１の傾斜方向に傾斜した下向き傾斜面６とした断面逆直角台形状をなし、下向き傾斜面６を傾斜地１に向けて、傾斜地１に沿って積み重ねられている。また、この傾斜地１側の端部に位置する発泡体ブロック３ａ以外の発泡体ブロック３ｂは、直方体で、やはり上下に積み重ねられている。
【００２４】
発泡体ブロック３の敷設は、通常、傾斜地１側（山側）からその反対側（谷側）へと行われるもので、傾斜地１側の端部に位置する発泡体ブロック３ａの敷設は、その下向き傾斜面６を傾斜地１に当接又は近接させて配置することで容易に行うことができる。また、下向き傾斜面６を傾斜地１に当接又は近接させることで、傾斜地１と発泡体ブロック３ａとの間に生じる空間を小さくすることができ、この空間への砕石や現地発生土などの裏込め材の充填を省略したり、充填する場合でも少量に抑制することができる。
【００２５】
上記傾斜地１と発泡体ブロック３ａ間の空間の発生抑制からすれば、発泡体ブロック３ａの下向き傾斜面６の角度θを傾斜地１の角度に一致させ、下向き傾斜面６を傾斜地１に沿わせることが好ましいが、前述したように、傾斜地６の角度は一定でなく、しかも表面に凹凸を有することから、下向き傾斜面６の角度θは、傾斜地１の角度に近似したものとすれば足る。
【００２６】
発泡体ブロック３ａは、発泡体ブロック３ｂと共に積み重ねられて軽量盛土を構成するもので、各発泡体ブロック３ａと発泡体ブロック３ｂが一体になった安定した積み重ね状態が得られるよう、底面幅Ｗが０．５ｍ以上であることが好ましく、１ｍ以上であることがより好ましい。
【００２７】
上部コンクリート床版５は、必要に応じて中間コンクリート床版４を挟み込んで積み上げられた発泡体ブロック３上に設けられている。このコンクリート床版４は、通行車輌の衝撃などから発泡体ブロック３を保護すると共に、荷重を分散させるためのもので、発泡体ブロック３の上面に配筋した後コンクリートを打設することで設けることができる。
【００２８】
一方、必要に応じて中間コンクリート床版４を挟み込んで積み重ねた発泡体ブロック３の露出した側面に沿って、側壁７が形成されている。この側壁７は、露出した発泡体ブロック３を、日光、火気、風雨などから保護するためのもので、発泡体ブロック３の露出面を覆うように形成されている。
【００２９】
側壁７は、多数のパネル材を８を上下左右に連ねたもので、発泡体ブロック３の側面との間に隙間をあけて、前記下部コンクリート床版２上から発泡体ブロック３の側面に沿って立ち上げられている。また、上下左右に連なって側壁７を構成する各パネル材８は、それぞれ発泡体ブロック３の側面から突出した支持金具９によって支持されている。尚、下部コンクリート床版２を省略する場合でも、側壁７の直下の地盤上には、側壁７の下端との取り合いを容易にするため、コンクリートで基礎を形成しておくことが好ましい。本例においては、この基礎を兼ねて下部コンクリート床版２が形成されているものである。
【００３０】
図３は、傾斜地側の端部に位置する発泡体ブロックの他の配置例を示すもので、図１と同じ符号は同じ部材又は部位を示すものである。
【００３１】
図１に示される傾斜地１側の端部に位置する発泡体ブロック３ａの底面幅Ｗはそれぞれ等しいものとなっているが、図３に示される傾斜地１側の端部に位置する発泡体ブロック３ａは、底面幅Ｗ（図２参照）が異なるものが上下に混在したものとなっている。底面幅Ｗの異なる発泡体ブロック３ａを併用することにより、発泡体ブロック３ａと３ｂ間及び発泡体ブロック３ｂ同志の継ぎ目位置を調節することができる。また、図３に示されるように、底面幅Ｗの大きなものと小さなものを上下に交互に位置させて積み重ねると、１段おきに位置する底面幅Ｗの大きな発泡体ブロック３ａについて、傾斜地１とは反対側の端部を上下から発泡体ブロック３ｂで挟み込むことができ、発泡体ブロック３ａと３ｂ間の一体化を高めることができる。
【００３２】
次に、図４及び図５に基づいて本発明に係る軽量盛土の第２の例について説明する。なお、図４及び図５において図１及び図２と同じ符号は同じ部材又は部位を示すものである。
【００３３】
図４及び図５に示されるように、本第２の例は基本的には前記第１の例と同様であるが、傾斜地１側の端部に位置する発泡体ブロック３ａは、直方体の一側面を傾斜地の傾斜方向に階段状に傾斜した下向き階段面１０とした断面略逆直角台形状をなし、下向き階断面１０を傾斜地１に向けて、傾斜地１に沿って積み重ねられている。
【００３４】
上記のような下向き階段面１０を有する発泡体ブロック３ａを用いた軽量盛土とすると、下向き階段面１０の各コーナー部が傾斜地１と噛み合うことにより、傾斜地１との間の摩擦抵抗を高めることができ、傾斜地１と軽量盛土間の滑りを抑制して、軽量盛土全体の安定性をより高めることができる。また、下向き階段面１０と傾斜地１間には、下向き階段面１０の段差部に空間か残されるが、下向き階段面１０を垂直な平面とした場合に比して小さな空間とすることができ、下向き階段面１０と傾斜地１間に裏込め材を充填しても、その量を大幅に少なくすることができる。
【００３５】
下向き階段面１０の段数は、図示される例においては３段であるが、２段としたり、４段以上とすることもでき、発泡体ブロック３ａと共に積み重ねる発泡体ブロック３ｂの厚みや、傾斜地１の傾斜角度などに応じて選択することができる。
【００３６】
更に、図６及び図７に基づいて本発明に係る軽量盛土の第３の例について説明する。なお、図６及び図７において図１及び図２と同じ符号は同じ部材又は部位を示すものである。
【００３７】
図６及び図７に示されるように、本第３の例は基本的には前記第２の例と同様であり、傾斜地１側の端部に位置する発泡体ブロック３ａは、直方体の一側面を傾斜地の傾斜方向に階段状に傾斜した下向き階段面１０とした断面略逆直角台形状をなし、下向き階断面１０を傾斜地１に向けて、傾斜地１に沿って積み重ねられている。但し、本例の発泡体ブロック３ａは、積み重ねられた複数枚の発泡板１１で構成されており、しかも該発泡体ブロック３ａの前記下向き階段面１０が、該複数枚の発泡板１１の傾斜地１側の端部の位置をずらせることで形成されている。この発泡板１１は、発泡体ブロック３と同様の合成樹脂発泡体で構成されているものである。
【００３８】
上記のように複数枚の発泡板１１で、下向き階段面１０を有する発泡体ブロック３ａを構成すると、長さの異なる発泡板１１を積み重ねるだけで下向き階段面１０を形成することができ、発泡体ブロック３ａの製造が容易となる。発泡体ブロック３ａを構成する発泡板１１は、予め接着剤又はバンド掛けなどで一体化しておいてもよいが、現場で積み重ねるようにしてもよい。
【００３９】
発泡体ブロック３ａを構成する発泡板１１の枚数は、図示される例では３枚であるが、２枚としたり、４枚以上とすることもでき、発泡体ブロック３ａと共に積み重ねる発泡体ブロック３ｂの厚みや、傾斜地１の傾斜角度などに応じて選択することができる。
【００４０】
以上説明したいずれの例においても、発泡体ブロック３ａはその他の発泡体ブロック３ｂより硬質の合成樹脂発泡体で構成されている。このようにしておくことによって、傾斜地１との摩擦を直接受ける発泡体ブロック３ａへたりを防止し、軽量盛土全体の安定性を長期に亘って維持しやすくなる。
【図面の簡単な説明】
【００４１】
【図１】本発明に係る軽量盛土の第１の例を示す断面図である。
【図２】第１の例における傾斜地側の端部に位置する発泡体ブロックの斜視図である。
【図３】傾斜地側の端部に位置する発泡体ブロックの他の配置例を示す断面図である。
【図４】本発明に係る軽量盛土の第２の例を示す断面図である。
【図５】第２の例における傾斜地側の端部に位置する発泡体ブロックの斜視図である。
【図６】本発明に係る軽量盛土の第３の例を示す断面図である。
【図７】第３の例における傾斜地側の端部に位置する発泡体ブロックの斜視図である。
【符号の説明】
【００４２】
１    傾斜地
２    下部コンクリート床版
３    発泡体ブロック
３ａ  （傾斜地側の端部に位置する）発泡体ブロック
３ｂ  （上記以外の）発泡体ブロック
４    中間コンクリート床版
５    上部コンクリート床版
６    下向き傾斜面
７    側壁
８    パネル材
９    支持金具
１０  下向き階段面
１１  発泡板
【図１】
2006328953.tif 000003
【図２】
2006328953.tif 000004
【図３】
2006328953.tif 000005
【図４】
2006328953.tif 000006
【図５】
2006328953.tif 000007
【図６】
2006328953.tif 000008
【図７】
2006328953.tif 000009